【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
光を電気信号に変換する複数の単位セルから画素信号を取り出す固体撮像装置において、
一方の端子から入力される前記画素信号を保持する第１の容量素子と、
基準電圧が入力される一方の入力端子に前記第１の容量素子の他方の端子が接続されるオペアンプと、
前記第１の容量素子の前記一方の端子と前記オペアンプの他方の入力端子との間に接続され、前記画素信号の読み出し要求に応じてオン／オフされるスイッチ素子と、
を有することを特徴とする固体撮像装置。
【請求項２】
前記単位セルと前記第１の容量素子との間に配設されると共に、スイッチング手段を介して前記第１の容量素子に接続され、前記単位セルから出力される第１の画素信号を保持する第２の容量素子と、
前記基準電圧を前記第１の容量素子と前記第２の容量素子とを接続する接続ノードへ選択的に供給する基準電圧供給手段と、をさらに有したことを特徴とする請求項１記載の固体撮像装置。
【請求項３】
光を電気信号に変換する複数の単位セルから画素信号を取り出す固体撮像装置において、
一方の端子から入力される前記画素信号を保持する第１の容量素子と、
スイッチング手段を介して一方の端子が前記第１の容量素子の他方の端子と接続された第２の容量素子と、
一方の端子が前記第１の容量素子と前記第２の容量素子とを接続する接続ノードに接続された第３の容量素子を含むと共に、第１の基準電圧を生成する第１の基準電圧生成手段と、
一方の端子が前記接続ノードに接続された第４の容量素子を含むと共に、第２の基準電圧を生成する第２の基準電圧生成手段と、
前記接続ノードへ、前記第１の基準電圧又は前記第２の基準電圧を選択的に供給する基準電圧切り替え手段と、
を有することを特徴とする固体撮像装置。
【請求項４】
光を電気信号に変換する複数の単位セルから画素信号を取り出す固体撮像装置において、
一方の端子から入力される前記画素信号を保持する第１の容量素子と、
スイッチング手段を介して一方の端子が前記第１の容量素子の他方の端子と接続された第２の容量素子と、
第１の基準電圧が入力される一方の入力端子に前記第２の容量素子の他方の端子が接続されたオペアンプと、
一方の端子が前記第１の容量素子と前記第２の容量素子とを接続する接続ノードに接続された第３の容量素子を含むと共に、前記第１の基準電圧を生成する第１の基準電圧生成手段と、
一方の端子が前記接続ノードに接続された第４の容量素子を含むと共に、第２の基準電圧を生成する第２の基準電圧生成手段と、
前記接続ノードへ、前記第１の基準電圧又は前記第２の基準電圧を選択的に供給する基準電圧切り替え手段と、
を有することを特徴とする固体撮像装置。
【請求項５】
前記第３及び第４の容量素子の前記一方の端子はさらに、それぞれ前記第２の容量素子の他方の端子に接続され、
前記基準電圧切り替え手段は、前記接続ノード及び前記第２の容量素子の他方の端子へ、前記第１の基準電圧又は前記第２の基準電圧を選択的に供給する、
ことを特徴とする請求項４記載の固体撮像装置。
【請求項６】
一方の端子から入力される画素信号を保持する第１の容量素子と、
基準電圧が入力される一方の入力端子に前記第１の容量素子の他方の端子が接続されるオペアンプと、
前記第１の容量素子の前記一方の端子と前記オペアンプの他方の入力端子との間に接続され、前記画素信号の読み出し要求に応じてオン／オフされるスイッチ素子と、
を備えた固体撮像装置の駆動方法において、
前記画像信号を前記第１の容量素子に保持して前記スイッチ素子をオンする、
ことを特徴とする固体撮像装置の駆動方法。
【請求項７】
一方の端子から入力される画素信号を保持する第１の容量素子と、
スイッチング手段を介して一方の端子が前記第１の容量素子の他方の端子と接続された第２の容量素子と、
一方の端子が前記第１の容量素子と前記第２の容量素子とを接続する接続ノードに接続された第３の容量素子を含むと共に、第１の基準電圧を生成する第１の基準電圧生成手段と、
一方の端子が前記接続ノードに接続された第４の容量素子を含むと共に、第２の基準電圧を生成する第２の基準電圧生成手段と、
前記接続ノードへ、前記第１の基準電圧又は前記第２の基準電圧を選択的に供給する基準電圧切り替え手段と、
を備えた固体撮像装置の駆動方法において、
前記基準電圧切り替え手段によって、前記接続ノードに前記第２の基準電圧を供給して前記第１の基準電圧を供給する、
ことを特徴とする固体撮像装置の駆動方法。
【請求項８】
一方の端子から入力される画素信号を保持する第１の容量素子と、
スイッチング手段を介して一方の端子が前記第１の容量素子の他方の端子と接続された第２の容量素子と、
第１の基準電圧が入力される一方の入力端子に前記第２の容量素子の他方の端子が接続されたオペアンプと、
一方の端子が前記第１の容量素子と前記第２の容量素子とを接続する接続ノードに接続された第３の容量素子を含むと共に、前記第１の基準電圧を生成する第１の基準電圧生成手段と、
一方の端子が前記接続ノードに接続された第４の容量素子を含むと共に、第２の基準電圧を生成する第２の基準電圧生成手段と、
前記接続ノードへ、前記第１の基準電圧又は前記第２の基準電圧を選択的に供給する基準電圧切り替え手段と、
を備えた固体撮像素子の駆動方法において、
前記基準電圧切り替え手段によって、前記接続ノードに前記第２の基準電圧を供給して前記第１の基準電圧を供給する、
ことを特徴とする固体撮像装置の駆動方法。
【手続補正２】
【補正対象書類名】明細書
【補正対象項目名】発明の名称
【補正方法】変更
【補正の内容】
【発明の名称】固体撮像装置および固体撮像装置の駆動方法
【手続補正３】
【補正対象書類名】明細書
【補正対象項目名】０００１
【補正方法】変更
【補正の内容】
【０００１】
本発明は固体撮像装置および固体撮像装置の駆動方法に関し、特に光を電気信号に変換する複数の単位セルから画素信号を取り出す固体撮像装置および固体撮像装置の駆動方法に関する。
【手続補正４】
【補正対象書類名】明細書
【補正対象項目名】００１８
【補正方法】変更
【補正の内容】
【００１８】
本発明はこのような点に鑑みてなされたものであり、基準電圧が振れても、または基準電圧にノイズが乗っても、それらを抑制して出力することができる固定撮像装置およびその駆動方法を提供することを目的とする。
【手続補正５】
【補正対象書類名】明細書
【補正対象項目名】００１９
【補正方法】変更
【補正の内容】
【００１９】
また本発明では、消費電力および実装面積を抑え、安定したクランプ電圧を出力することができる固体撮像装置およびその駆動方法を提供することを目的とする。
【手続補正６】
【補正対象書類名】明細書
【補正対象項目名】００２０
【補正方法】変更
【補正の内容】
【００２０】
本発明では上記問題を解決するために、光を電気信号に変換する複数の単位セルから画素信号を取り出す固体撮像装置において、一方の端子から入力される前記画素信号を保持する第１の容量素子と、基準電圧が入力される一方の入力端子に前記第１の容量素子の他方の端子が接続されるオペアンプと、前記第１の容量素子の前記一方の端子と前記オペアンプの他方の入力端子との間に接続され、前記画素信号の読み出し要求に応じてオン／オフされるスイッチ素子と、を有することを特徴とする固体撮像装置が提供される。
【手続補正７】
【補正対象書類名】明細書
【補正対象項目名】００２２
【補正方法】変更
【補正の内容】
【００２２】
また本発明では、光を電気信号に変換する複数の単位セルから画素信号を取り出す固体撮像装置において、一方の端子から入力される前記画素信号を保持する第１の容量素子と、スイッチング手段を介して一方の端子が前記第１の容量素子の他方の端子と接続された第２の容量素子と、一方の端子が前記第１の容量素子と前記第２の容量素子とを接続する接続ノードに接続された第３の容量素子を含むと共に、第１の基準電圧を生成する第１の基準電圧生成手段と、一方の端子が前記接続ノードに接続された第４の容量素子を含むと共に、第２の基準電圧を生成する第２の基準電圧生成手段と、前記接続ノードへ、前記第１の基準電圧又は前記第２の基準電圧を選択的に供給する基準電圧切り替え手段と、を有することを特徴とする固体撮像装置が提供される。